(57)【要約】      （修正有）【課題】木造住宅構造体として、土台の鉄筋入りコンクリート製ブロック化を行い、筋交受け金具付き柱脚金物を用いて、耐震・耐腐朽性及び耐久性の高い木造住宅の構築を提供する。【解決手段】木造住宅建築物の土台としてＬ・Ｔ・Ｉ・十字型の鉄筋入りコンクリート製ブロックを分割製作し、連結及び緊結するため、合いじゃくり及び連結ボルト貫通孔を設けたコンクリート製ブロック化土台１９であり、筋交受け金具の付いた柱脚金具のほぞが差し込まれるほぞ孔１と、間柱の差し込まれる溝欠き２及びアンカーボルト貫通孔３を設け、更に筋交受け金具付き柱脚金物の付帯する鉄筋入りコンクリート製ブロック化土台１９を交互に合いじゃくり部分１７で結合し構成する建築物の耐久性を高めた木造住宅建築用土台。【選択図】図１
0003149343.tif 000002
【実用新案登録請求の範囲】
【請求項１】
木造住宅用のコンクリート製土台であり、端部をＬ字状の合いじゃくりに切り欠き又は型枠を用いて形成し、該合いじゃくり部側面にボルトの貫通孔を設け、上面の略中央部に柱を
0003149343.tif 000009
き正確に位置を決定し形成し、アンカーボルト貫通孔をボルト径より大き目に設け、ボルトを通した後にその空隙をモルタルで埋めて固定する鉄筋入りＬ字、Ｔ字、Ｉ字及び十字状コンクリートブロックの単体を、前記合いじゃくり部でブロック同士を互い違いに組み、ボルトで結合し連続させて成ることを特徴とする木造建築物のコンクリート製ブロック化土台。
【請求項２】
0003149343.tif 000010
釘孔を空けた平板状又は、羽根状の筋交い受け金具を付帯した柱脚金物を埋込み、固着する事を特徴とした木造建築物用コンクリート製ブロック化土台。
【考案の詳細な説明】
【技術分野】
【０００１】本考案は、木造建築物における木軸工法に関するもので、同一出願人による実用登録第３１３８８３２号躯体構造体の応用に関するコンクリート製土台に関するものである。
【背景技術】
【０００２】木造住宅の土台構造は、木材の角材をコンクリート基礎上に横に乗せ、出隅又は入り隅又は辺の中間で、木材に複雑な仕口加工を施し直角に接続する方法で造型されている。
又経年に於ける雨水の浸入及び結露等により、土台の木材の腐れ収縮変形に伴う強度低下によって木造建築物の耐久性に影響と制約が生じている。
一方、筋交は木材の土台と柱に跨ってビス、釘等で取り付けるため筋交受け金具を介し筋交は取り付けられるが、木材の収縮変形等に伴い柱及び土台材と筋交受け金具との結合及び固着において強度低下が生じ、建築物全体の耐久性に問題を呈している。
【考案の開示】
【考案が解決しようとする課題】
【０００３】木造住宅土台は木材を使用しており、木材が宿命的に有す経年に於ける腐れ、収縮、割れ、変形、および土台の接続、緊結に関わる仕口部分に於ける木材の加工欠き込みによる木材部材の減少及び不足により発生する木材の強度低下の弊害、これらの問題を解消することが課題である。
又筋交は、木材である柱と土台が接する低位置部位に跨って取り付くが、木材部が経年に関わって強度低下の状態となる為、筋交の定着を促す金具の固着に関する強度低下を防ぐ事が課題である。
【課題を解決するための手段】
【０００４】木造住宅の土台を鉄筋入りコンクリート製とするため、Ｌ字、Ｔ字、Ｉ字、十字型ブロックに分割し、そのブロック端部にＬ型の合いじゃくりを施し、側面に各ブロックを連結及び緊結するためのボルト貫通孔を設け、上面には設計図書モジュールに従い、柱及び柱脚金物
0003149343.tif 000003
設又は型枠を用いて形成し、それぞれのブロック化土台が設計図書モジュールに従い定
0003149343.tif 000004
めて固着させ連結して成るコンクリート製ブロック化土台とする。【０００５】
0003149343.tif 000005
する柱脚金物の四面側面に、必要方向に腕木方式で釘孔の空いた平板状又は羽根状の筋交受け金具を、直接溶接等によって固着する筋交受け金具付き柱脚金物を要するコンクリート製ブロック化土台である。
【考案の効果】
【０００６】以下の様な効果を有するものである。
１、コンクリート製ブロック化土台は、形状、長さ、太さを自由に製作できる。
２、設計図書モジュールに従い小さな設備でも製作できる。
３、木質系土台の経年による変形、収縮及び白蟻、腐朽の害を無くすことが出来る。
４、コンクリート製ブロック化土台の重量的安定及び、筋交受け金物付き柱脚金物の併用により建築物の安定及び耐久性の向上を促すことが出来る。
５、筋交受け金具は柱脚金物に溶接する為、変動が少なく筋交いを確実に固定でき長期に及んで、筋交いの根元の剥離、歪み等建築物に及ぼす強度低下の影響が極めて少ない。
６、柱脚金物は木柱最下部の腐れ防止、変形に対抗して柱の安定を維持出来る。
【実施例】
【０００７】以下、図面に示す実施例に従って本考案の実施態様について説明する。
図１  鉄筋入りコンクリートＬ型ブロック化土台１２の辺と辺が交わる部位を隅切り形状１９を要す平面図で示しており、立柱用筋交受け金物付き柱脚金物８の柄孔１間柱用溝２アンカーボルト貫通孔３ブロック化土台端部のＬ型合いじゃくり形状１７及び連結用のボルト貫通孔４を設計図書モジュールに従い位置を決定し製作し、土台伏図上の出隅及び入り隅部に設置するものである。
図２  隅切り形状１９付きＴ型ブロック化土台平面図を示しており、土台伏せ図の辺の中間部に設置する。
図３  Ｉ型ブロック化土台１１平面図を示しており、土台伏せ図の辺長部に設置する。
図４  隅切り形状１９付き十字型ブロック化土台平面図を示しており、土台伏せ図の中央部などで使用設置する。
図５  ブロック化土台の連結及び連結用ボルト１８連結間空隙１３にモルタル等を詰め、筋交受け金具付き柱脚金物８に柱５筋交７の取り付き状態を示し、ブロック化土台間柱用溝２に間柱６が垂設する状態を示す。
図６  柱脚金物四面側面に、必要多方向に釘孔を空けた平板状又は羽根状金具の付く筋交受け付金具９付柱脚金物８を正確な位置に定着させるため、ブロック化土台
0003149343.tif 000006
位置を調整した後に空隙１３にモルタルを詰めて構成する。柱５の建て込み状態を示す。
図７  筋交受け金具９付き柱脚金物８に対し、柱５の差込みを行う状態。
【図面の簡単な説明】
【０００８】
【図１】コンクリート製ブロック化土台Ｌ型平面図。
【図２】同上、Ｔ型平面図。
【図３】同上、Ｉ型平面図。
【図４】同上、十字型平面図。
【図５】コンクリート製ブロック化土台の連結状態、筋交受け金具付き柱脚金物、筋交、間柱の取り付き状態を表す斜視図。
【図６】柱及び筋交受け金具付き柱脚金物のコンクリート製ブロック化土台設置状況を示す断面図。
【図７】筋交受け金具付き柱脚金物の形状と柱の仕口形状及び取り付きの順路を示す斜視図。
【符号の説明】
【０００９】
0003149343.tif 000007
２  同上、間柱用溝。
３  同上、アンカーボルト貫通孔。
４  同上、連結用ボルト貫通孔。
５  木柱。
６  間柱。
７  筋交い。
８  筋交受け金具付き柱脚金物。
９  筋交受け金具。
１０  ビス又は釘孔。
１１  Ｉ型のコンクリートブロック化土台。
１２  Ｌ型コンクリートブロック化土台。
１３  モルタルを詰める空隙。
0003149343.tif 000008
１５  アンカーボルト。
１６  基礎部分。
１７  合いじゃくり部分。
１８  連結ボルト。
１９  鉄筋入りコンクリート製ブロック化土台。
【図１】
0003149343.tif 000011
【図２】
0003149343.tif 000012
【図３】
0003149343.tif 000013
【図４】
0003149343.tif 000014
【図５】
0003149343.tif 000015
【図６】
0003149343.tif 000016
【図７】
0003149343.tif 000017